(57)【要約】【課題】  本発明は、入浴と同時に岩盤浴を行うことが可能な岩盤浴装置を提供する。【解決手段】  本発明の岩盤浴装置は、上方に開口され一人分以上の浴湯を貯留可能であり、貯留された浴湯を排出可能な浴槽用排出手段を設けた浴槽と、浴槽に隣接し浴槽の開口の上部より下方に位置する略板状の浴室床パネルとを備えている。また、浴室パネルは、浴室パネルと一体に形成された岩盤浴用床を有している。さらに岩盤浴装置は、岩盤浴用床上面に滞留する水分を排出する床用排出手段を備えている。【選択図】  図２
2008264068.tif 000002
【特許請求の範囲】
【請求項１】
入浴と同時に岩盤浴を行うことが可能な岩盤浴装置であって、
上方に開口され一人分以上の浴湯を貯留可能であり、貯留された浴湯を排出可能な浴槽用排出手段を設けた浴槽と、
前記浴槽に隣接し浴槽の開口の上部より下方に位置する略板状の浴室床パネルと、を備え
前記浴室パネルは、その一部又は全部に前記浴室パネルと一体に形成された岩盤浴用床を有し、
さらに、少なくとも前記岩盤浴用床上面に滞留する水分を排出する床用排出手段を備える、ことを特徴とする岩盤浴装置。
【請求項２】
さらに、前記浴槽と前記浴室パネルとの両者を洗浄可能なシャワー装置とを備える、ことを特徴とする請求項１に記載の岩盤浴装置。
【請求項３】
さらに、前記浴槽用排出手段は、浴湯を排出する際に浴湯が前記岩盤浴用床の上面に流入することが可能な位置に排出孔を配設する、ことを特徴とする請求項１又は２に記載の岩盤浴装置。
【請求項４】
前記請求項１〜３のいずれか１項に記載の岩盤浴装置が、受け台上に装着された箱部材の内部に配設されており、前記受け台を介して搬送可能なポータブルユニットハウス。
【発明の詳細な説明】
【技術分野】
【０００１】
本発明は、浴槽付き岩盤浴装置およびそれを備えたポータブルユニットハウス、特に岩盤浴用床の清掃を簡便に行うことが可能な構成を有する浴槽付き岩盤浴装置および当該岩盤浴装置を備えたポータブルユニットハウスに関する。
【背景技術】
【０００２】
岩盤浴とは、サウナ形式の風呂の一種であり、４０度程度に熱せられた岩盤の上で寝ころぶことによって体を温めるものである。このような岩盤浴では、岩盤から放出される人体に有益な微弱放射線と温熱との相乗効果によって、当該岩盤の上に横になるだけで、様々な病状が改善されることが知られている。岩盤の材料としては、従来より北海道のブラックシリカ、秋田県の北投石、熊本県の天照石、台湾の北投石、韓国の天寿石等が使用されることが多い。また、近年では前記自然石のみならず、人工的に製造された安価なセラミックスも使用されている。岩盤浴の効果として、遠赤外線放射エネルギーによる温熱効果、微弱放射線放射エネルギーによるホルモン分泌促進効果、汗腺と皮脂腺からの発汗効果等が知られており、メタボリック症候群又はこれに起因する生活習慣病の増加に伴い近年利用者が急増している。
【０００３】
しかしながら、従来の岩盤浴装置は専門の大型施設で多人数のユーザが使用する形式のものであったため、環境衛生面での不都合が社会問題視されている。上述するように岩盤浴の主たる効果は温熱等による発汗であり、岩盤浴装置において岩盤浴用床表面に利用者の汗が大量に付着することになる。とりわけ岩盤浴は、その温度・湿度環境が細菌や真菌の繁殖環境に好都合であり、加えて不特定多数の人が狭い空間を利用するため、大腸菌、レジオネラ菌、水虫菌等の繁殖が問題視されている。
【０００４】
このような背景から、岩盤浴用床表面における衛生問題が深刻化しており、岩盤浴の経営者または岩盤浴装置の利用者は、清掃・洗浄・消毒といった衛生管理を徹底しなければならないという問題が生じていた。
【０００５】
【特許文献１】特開２００４−１３００４７号公報
【特許文献２】特開２００５−７３８００号公報
【発明の開示】
【発明が解決しようとする課題】
【０００６】
本発明は、以上のような問題点を解決すべく提供されたものであり、岩盤浴用床の衛生状態を簡便に良好な状態に維持可能な岩盤浴装置および当該岩盤浴装置を内部に配設したポータブルユニットハウスを提供することを目的とする。
【課題を解決するための手段】
【０００７】
具体的に本発明は、岩盤浴用床と浴槽が一体となった岩盤浴装置および当該岩盤浴装置を内部に配設したポータブルユニットハウスを提供している。詳細には、本発明の岩盤浴装置は、入浴と同時に岩盤浴を行うことが可能な岩盤浴装置であって、上方に開口され一人分以上の浴湯を貯留可能であり、貯留された浴湯を排出可能な浴槽用排出手段を設けた浴槽と、浴槽に隣接し浴槽の開口の上部より下方に位置する略板状の浴室床パネルとを備えている。また、浴室パネルは、その一部又は全部に前記浴室パネルと一体に形成された岩盤浴用床を有している。さらに、本発明の岩盤浴装置は、少なくとも前記岩盤浴用床上面に滞留する水分を排出する床用排出手段を備えている。
【０００８】
また、本発明の岩盤浴装置は、浴槽と浴室パネルとの両者を洗浄可能なシャワー装置とを備えることが好ましい。さらに、浴槽用排出手段は、浴湯を排出する際に浴湯が岩盤浴用床の上面に流入することが可能な位置に排出孔を配設しても良い。
【０００９】
一方、本発明のポータブルユニットハウスは、上記岩盤浴装置が、受け台上に装着された箱部材の内部に装着されており、この受け台を介して搬送可能に構成されている。
【発明の効果】
【００１０】
従来の岩盤浴装置では、岩盤浴用床を良好な衛生状態に維持するため、当該岩盤浴装置の利用とは独立した作業として、前記清掃・洗浄・消毒作業を行う必要があった。本発明の岩盤浴装置およびポータブルユニットハウスによれば、岩盤浴用床を洗い場として利用する過程において、当該岩盤浴用床を清掃・洗浄・消毒することが可能であり、岩盤浴用床を良好な衛生状態に維持するための労力およびコストが大幅に減少する。例えば、洗い場用のシャワー装置を設ける、具体的には浴槽も岩盤浴用床の両方とも洗うことができる位置にシャワー装置を配設することで達成できる。
【００１１】
また、通常、浴槽の湯を排出するための排出孔は、浴槽内の底部に設けられ、排出湯が浴槽の下方に流出して外部放出されるが、本発明の場合には、排出孔から排出される湯が岩盤浴用床を有する浴室床パネルの上面側に流入するように構成されている。これにより、使用後の大量の浴湯を利用して岩盤浴用床の表面を洗浄することが可能となる。一方、岩盤浴用床の温熱により浴室全体を保温することができ、冬季にしばしば見られる浴室での心臓発作を回避することも期待され、遠赤外線サウナ室としても活用することができる。また、ユーザは浴室床パネル上（岩盤浴用床上を含んでも良い）を洗い場として利用するため、洗い場使用後は岩盤浴用床の温熱によりその表面に滞留した水分が蒸発し、スチームサウナ室としての効果も大きい。このように本発明の岩盤浴装置によれば一般の浴室の機能を利用して衛生的な岩盤浴を趣向できるばかりでなく、岩盤浴用床の温熱を用いて一般浴室の機能を向上させることを可能としている。
【００１２】
さらに、本発明のポータブルユニットハウスによれば、上記岩盤浴装置を備えて種々の場所に簡単に搬送し設置することを可能としている。従って、従来の建造物の室内に施工された岩盤浴装置を利用する場合に比して、岩盤浴を行う場所が制限されることがなく、所望する場所で簡単に岩盤浴を趣向することができ、また岩盤浴を行った後に入浴することもできるため岩盤浴場と入浴場との両者を設ける必要もない。従って、従来は岩盤浴装置の施工に多大な時間を要していたが、本発明のポータブルユニットハウスによれば当該ポータブルユニットハウスを移動させるのみで足り、施工のための時間、労力およびコストが減少することとなる。さらに、衛生面でも好適である点は上述する通りである。
【発明を実施するための最良の形態】
【００１３】
以下、本発明の実施の形態を説明するが、本発明はこれらの実施例に限定されるものではない。
ここで、一般的な岩盤浴装置１００を略示した図１を参照しつつ説明する。この図に示すように岩盤浴装置１００では、耐水性、断熱性、および気密性に優れた壁部材１０２で覆われた浴室空間１０４が形成されている。まず、浴室空間１０４には、岩盤浴開始スイッチ（図示せず）がＯＮされることにより発熱する床暖房システム１０６が載置される。この床暖房システム１０６は汎用の発熱手段と同等のもので良いが、少なくとも冬季のように環境大気が低温度の場合でも浴室空間１０４内を４０度程度の温度に設定保持することが可能なものであることが必要とされる。また、床暖房システム１０６は、後述する岩盤浴用床１０８に対して均一に熱伝達させる必要があるため図１の点線で示すように岩盤浴用床１０８の下部全体に亘って熱を付与し得る程度の大きさを有していることが好ましい。
【００１４】
岩盤浴用床１０８は、床暖房システム１０６の上に自然石又はセラミックスを１０ｃｍ程の厚さで平らに盛っていくことで構成される。このとき岩盤浴用床１０８はレンガ又は木製の仕切り板１１０で区切っており、ユーザが伏臥状態で体の前面又は背面を岩盤浴用床１０８に接地させて利用するベッドタイプが一般的である。なお、図１に示す岩盤浴装置１００では、岩盤浴用板１０８を所定の台１１２の上に載置し、浴室空間１０４の他の部分１１４はブランクとしているが、これは地面に伏臥しているというユーザの不快感を解消する目的と、床暖房システム１０６の存在を顕著化して上記説明の理解を助ける目的での図構成であり、浴室空間１０４の底部全体に亘って床暖房システム１０６および岩盤浴用床１０８を載置する構成でも差支えない。
【００１５】
次に、本発明の岩盤浴装置の実施形態について、図２に略示して説明する。岩盤浴装置１０は、概ね岩盤浴用床１２と床暖房システム１４と浴槽１６と浴室床パネル１８とで構成されている。浴槽１６は汎用のもので良い。この岩盤浴装置１０では、浴槽１６に隣接した位置に浴室床パネル５が設けられており、この浴室床パネル１８がユーザの洗い場となる。浴室床パネル１２は、その一部又は全面に岩盤浴用床２が設けられており、転倒防止のため岩盤浴用床１２と浴室パネル１８の岩盤浴用床１２部分以外の部分１８ａとの上表面には大きな高低差は存在しない。浴室床パネル５に設けた岩盤浴用床１２の下部には電気ヒーター又は石油、ガス等で生成される熱源、蒸気をもって岩盤浴用床１２を３５〜４５度に暖める床暖房システム１４を設置する。また、この床暖房システム１４を後述するように遠赤外線サウナ室やスチームサウナ室の熱源として兼用する場合には、さらに高温まで温度設定できるようにしても良い。
【００１６】
ユーザは、床暖房システム１４によって３５〜４５度に暖められた岩盤浴用床１２の上に伏臥することで岩盤浴を楽しむことができる。ユーザ又は管理者は、ユーザが発した汗を吸収させ岩盤浴中の不快感を解消するために必要に応じて岩盤浴用床１２の上にシーツやタオルを敷いて利用しても良い。
【００１７】
また、岩盤浴用床１２を床暖房システム１４によって暖めることで、浴室全体の温度を上昇させることが可能である。換言すれば、床暖房システム１４によって暖められた岩盤浴用床１２は浴室の暖房装置としても使用することができる。特に冬季にしばしば発生する入浴時の急性心臓疾患等を回避することができる。
【００１８】
一方、入浴のため浴槽１６に温水を貯留させると必然的に浴室内の温度が上昇し、これに連動して岩盤浴用床１２近傍の温度および湿度を上昇させることが可能である。これにより、岩盤浴を楽しむ場合において、岩盤浴用床１２からの熱で体が暖まるまでの寒さを軽減できる。特に冬季にしばしば発生する入浴時の急性心臓疾患等を回避することができる。また、岩盤浴用床１２近傍の温度および湿度の上昇は、岩盤浴による発汗作用を促進するとともに床暖房システム１４の温度コストを低減することも可能である。
【００１９】
ユーザは岩盤浴によって大量に発汗するが、岩盤浴の後に浴槽１６を使用して入浴することで、即座に汗を流すことができる。また、比較的低い温度の湯または水を張った浴槽１６に短時間入浴することで、上昇した体温を低下させることも可能である。
【００２０】
また、前述するようにユーザは、一部または全面に岩盤浴用床１２が設けられた浴室床パネル１８が洗い場として利用するが、ユーザが体を洗ったり、洗髪したりする過程で、岩盤浴用床１２を同時に清掃・洗浄・消毒することができる。具体的には、石鹸、ボディソープ、洗顔料、シャンプー等を含んだ流水または流水によって、岩盤浴用床２が清掃・洗浄・消毒される。
【００２１】
次に本発明の岩盤浴装置１１０の他の実施形態について図３を参照しつつ説明する。図３は、（ａ）に岩盤浴装置１１０の一部（浴槽側部分）の斜視図が示されており、（ｂ）に（ａ）のラインＸ−Ｘ視の断面図が示されている。なお、図３において図２と同一の参照番号が付されているものは、図２のものと同一のものである。従って、ここでは前述する図２の岩盤浴装置１００と異なる部分について言及するものとし、岩盤浴装置全体図（斜視図）については図２の岩盤浴装置１００を参照するものとする。
【００２２】
図３に示す岩盤浴装置１１０では、その（ｂ）に示すように浴槽１８の浴室床パネル側（図５の紙面における右側）の下方位置に排水手段（以下、「排水孔」と称する）２０が配設されている。また、この排水孔２０は、浴槽１６の底部１６ａに近似する高さ位置に配設され、さらに浴室床パネル１８の上面１８ｂよりも上方に配設される。この構成は浴湯を排水する際に、浴湯を全て浴室床パネル１８の上面１８ｂに流入させるためである。
【００２３】
このような位置に排出孔２０を配設すれば、入浴後の残水又は残湯（以下、「浴湯」とも称する）を用いて浴室床パネル１８の上面１８ｂに大量の水を流入させることで、岩盤浴用床１２に付着（滞留）した汗やこれに含まれる種々の成分を洗い流すことができる。また、前記浴湯に洗剤又は消毒剤を添加し、当該残水又は残湯を排水孔２０から排出することで、簡単に岩盤浴用床１２の洗浄効果を高めることも可能である。なお、排出孔２０には図示しない栓が付与されるが、この栓は浴湯の水圧で嵌合力が増加するものであるため浴槽１６の内壁側に配設される方が好ましい。
【００２４】
本発明の岩盤浴装置１０又は１１０を備えたポータブルユニットハウス２１０の実施形態について、図４に略示して説明する。このポータブルユニットハウス２１０は、概ね箱状部材２２の内部に上記岩盤浴装置１０又は１１０が載置されているが、図４では基礎台２６（後述）上に図２に示す岩盤浴装置１０が装着された場合を例示している。このポータブルユニットハウス２１０では、箱状部材２２の側面に少なくとも１つ以上の入退室用扉２４を有しており、箱状部材２２の底面２２ａには岩盤浴装置１０を装着するための基礎台２６が載置され、この基礎台２６内に、電気ヒーター又は石油、ガス等で生成される熱源、蒸気をもって岩盤浴用床１２を暖める上記床暖房システム１４を受容する構成をなしている。
【００２５】
また、ポータブルユニットハウス２１０は、箱状部材２２の下端部に受け台２８の上部に一体形成されていることが好ましい。この受け台２８は金属部材等の硬化材料で箱状部材２２の底部辺に沿うように構成された矩形の枠であり、搬送上に必要な要素となる。例えば、図４に示すような凹部分にフォークリフトのフォーク（図示せず）を挿入し、フォークを上昇させて搬送することが可能である。この搬送の際に必要な労力およびコストを軽減するため、安全性を確保できる限りにおいて、比重が小さい材質で構成されることが好ましい。さらに、ポータブルユニットハウス２１０内の上記構成要素は、防水性、断熱性に優れた材質で構成されることが好ましい。
【００２６】
次に、本発明のポータブルユニットハウスの他の実施形態を示しつつ岩盤浴装置の他の実施形態を例示する。従って、図４に示す参照番号と同一の参照番号が示された構成要素は、図４に示す構成要素と同一のものとする。ポータブルユニットハウス３１０は、岩盤浴装置１０が箱状部材２２の内部に載置されている点では図４と同一であるが、新たに箱上部材２２の内部にシャワー装置３０を備えている。また、シャワー装置３０は、浴槽１６および浴室床パネル１４の両者を洗浄し得る位置に配設されており、図示しないが伸縮可能なホースをシャワーヘッドに連接する形式のものであっても良い。
【００２７】
このポータブルユニットハウス３１０によれば、一部又は全面に岩盤浴用床１２が設けられた浴室床パネル１４で体を洗ったり、洗髪したりする過程で、岩盤浴用床１２を清掃・洗浄・消毒することができるだけでなく、入浴後又は入浴前に通常行う浴槽１６の洗浄の際に同時に岩盤浴用床１２を洗浄することが可能となる。具体的には、石鹸、ボディソープ、洗顔料、シャンプー等を含んだ流水又は流水によって、岩盤浴用床１２が清掃・洗浄・消毒される。
【００２８】
なお、図３又は図４では、箱状部材２２の内部構成の理解を助けるため岩盤浴装置１０を箱状部材２２の底部２２ａの一部のみを占有するように示しているが、浴湯の排水条件を満たしている限り底部２２ａの全領域に亘って岩盤浴装置１００を載置することも可能である。
【００２９】
以上、本発明の実施形態について例示説明してきたが、本発明は浴室の機能と岩盤浴の機能を相互に兼務することで、岩盤浴だけでは生じていた衛生面の問題を入浴工程で簡単に解決することができ、一方、岩盤浴工程で浴室における温熱問題を解決することを可能としたものであり、このことおよび特許請求の範囲の記載の精神と思想を逸脱しない範囲で他の改良例、変形例が存在することは当業者にとって容易に創作できることが理解されよう。
【図面の簡単な説明】
【００３０】
【図１】従来の岩盤浴装置の構成を示した斜視図である。
【図２】本発明の岩盤浴装置の一つの実施形態を示した斜視図である。
【図３】本発明の岩盤浴装置の他の実施形態の一部を示したものであり、（ａ）が斜視図、（ｂ）が（ａ）のラインＸ−Ｘ視の断面図である。
【図４】本発明のポータブルユニットハウスの一つの実施形態を示した斜視図である。
【図５】本発明のポータブルユニットハウスの他の実施形態および他の岩盤浴装置の実施形態を示した斜視図である。
【符号の説明】
【００３１】
１０、１１０…岩盤浴装置
１２…岩盤浴用床
１４…床暖房システム
１６…浴槽
１８…浴室床パネル
２０…排水孔
２２…箱状部材
２６…基礎台
２８…受け台
３０…シャワー装置
２１０、３１０…ポータブルユニットハウス
【図１】
2008264068.tif 000003
【図２】
2008264068.tif 000004
【図３】
2008264068.tif 000005
【図４】
2008264068.tif 000006
【図５】
2008264068.tif 000007